(57)【要約】【課題】煩雑な操作を行うことなく、制御対象の情報処理装置から入力されるデジタル信号およびアナログ信号を切換え所定の処理を行える情報処理装置、デジタルテレビジョン受像装置、およびプログラムを提供する。【解決手段】情報処理装置３からデジタル信号が入力されるデジタル端子２６と、制御対象の情報処理装置３からアナログ信号が入力されるアナログ入力端子２８と、情報処理装置３と、当該情報処理装置３からアナログ信号が入力される、複数のアナログ入力端子２８の内の一のアナログ入力端子２８との関連を指示する関連付けデータＤを記憶するメモリ２４と、指定された情報処理装置３についてのアナログ切換指示を受けると、関連付けデータＤを基に指定された情報処理装置３からアナログ信号が入力されるアナログ入力端子２８を特定し、そのアナログ信号に応じた処理を行うＣＰＵ２９を設ける。【選択図】図１
2005130014.tif 000002
【特許請求の範囲】
【請求項１】
少なくともデジタル信号およびアナログ信号を出力する制御対象の情報処理装置から前記デジタル信号が入力されるデジタル端子と、
前記制御対象の情報処理装置から前記アナログ信号が入力されるアナログ入力端子と、
少なくとも、前記デジタル端子に前記デジタル信号を出力する制御対象の情報処理装置と、当該情報処理装置から前記アナログ信号が入力される、複数の前記アナログ入力端子の内の一の前記アナログ入力端子との関連を指示する関連付けデータを記憶する記憶手段と、
指定された制御対象の情報処理装置についてのアナログ切換指示を受けると、前記記憶手段が記憶する関連付けデータを基に前記指定された制御対象の情報処理装置から前記アナログ信号が入力されるアナログ入力端子を特定し、前記特定されたアナログ入力端子から入力されたアナログ信号に応じた処理を行う制御手段と
を有する情報処理装置。
【請求項２】
前記制御手段は、制御中の前記情報処理装置を前記指定された情報処理装置に設定し、前記アナログ切換指示を受けると、前記関連付けデータを基に前記指定された情報処理装置から前記アナログ信号が入力されるアナログ入力端子を特定し、前記特定されたアナログ入力端子から入力されたアナログ信号に応じた処理を行う
請求項１に記載の情報処理装置。
【請求項３】
前記関連付けデータを生成する関連付けデータ生成手段を有し、
前記制御手段は、前記関連付けデータ生成手段が生成した関連付けデータに基づいて前記処理を行う
請求項１に記載の情報処理装置。
【請求項４】
操作画像内の所定領域が操作された場合、またはハードウェアの操作スイッチが操作された場合に、前記アナログ切換指示を行う指示手段を有する
請求項１に記載の情報処理装置。
【請求項５】
少なくともデジタル信号およびアナログ信号を出力する制御対象の情報処理装置から前記デジタル信号が入力されるデジタル端子と、
前記制御対象の情報処理装置から前記アナログ信号が入力されるアナログ入力端子と、
少なくとも、前記デジタル端子に前記デジタル信号を出力する制御対象の情報処理装置と、当該情報処理装置から前記アナログ信号が入力される、複数の前記アナログ入力端子の内の一の前記アナログ入力端子との関連を指示する関連付けデータを記憶する記憶手段と、
指定された制御対象の情報処理装置についてのアナログ切換指示を受けると、前記記憶手段が記憶する関連付けデータを基に前記指定された制御対象の情報処理装置から前記アナログ信号が入力されるアナログ入力端子を特定し、前記特定されたアナログ入力端子から入力されたアナログ信号に応じた処理を行う制御手段と、
前記制御手段の処理に応じた表示処理を行う表示手段と
を有するデジタルテレビジョン受像装置。
【請求項６】
少なくともデジタル信号およびアナログ信号を出力する制御対象の情報処理装置から前記デジタル信号が入力されるデジタル端子と、前記制御対象の情報処理装置から前記アナログ信号が入力されるアナログ入力端子とを含む情報処理装置に実行させるプログラムであって、
指定された制御対象の情報処理装置についてのアナログ切換指示を受けると、少なくとも、前記デジタル端子に前記デジタル信号を出力する制御対象の情報処理装置と、当該情報処理装置から前記アナログ信号が入力される、複数の前記アナログ入力端子の内の一の前記アナログ入力端子との関連を指示する関連付けデータを基に前記指定された制御対象の情報処理装置から前記アナログ信号が入力されるアナログ入力端子を特定する第１の手順と、
前記第１の手順により特定されたアナログ入力端子から入力されたアナログ信号に応じた処理を行う第２の手順と
を実行させるプログラム。
【発明の詳細な説明】
【技術分野】
【０００１】
本発明は、例えば、制御対象の情報処理装置から入力されるデジタル信号およびアナログ信号を切換えて表示処理や発音処理等の所定の処理を行う情報処理装置、デジタルテレビジョン受像装置、およびプログラムに関するものである。
【背景技術】
【０００２】
テレビジョン放送信号に応じた画像信号の表示処理や音声信号の発音処理を行うテレビジョン受像装置が知られている。
このテレビジョン受像装置では、制御対象の情報処理装置、例えば周辺機器として、デジタルビデオホームシステムＤ−ＶＨＳや、デジタルハードディスクレコーダＨＤＲ等と、例えばＩＥＥＥ１３９４等で定められているデジタルインタフェースを介してデジタル信号の画像信号、音声信号、および制御信号等のデータ通信を行い、各情報処理装置の制御を行う。
また、テレビジョン受像装置は複数のアナログ入力端子が設けられ、周辺機器から画像信号や音声信号等のアナログ信号に応じた表示処理や発音処理を行う。
【０００３】
例えば、上述のテレビジョン受像装置において、周辺機器からのデジタルインタフェースを介したデジタル信号による制御から、アナログ端子に入力されたアナログ信号に応じた処理に切換えたい場合がある。具体的には、例えば周辺機器のＯＳＤ（On Screen Display ）を表示させながら周辺機器の設定を行いたい場合や、アナログ信号で出力される画像や音声を出力させたい場合に上述した切換えを行う必要がある。
【０００４】
この際、ユーザは、例えば複数のアナログ入力端子の内、どのアナログ入力端子に所望の周辺機器が接続されているかを覚えておく必要があり、さらに、例えばリモートコントローラ等の操作装置を用いて、入力切換えボタンを複数回操作して、その周辺機器のアナログ入力端子を指定する必要がある。
具体的には、例えば、一般的なデジタルテレビジョン放送受像装置は、入力端子として、コンポジット入力端子が４ポート、コンポーネント入力端子が２ポート、ＡＶ（Audio and Visual）マルチ入力端子が２ポート等を有し、リモートコントローラ等の操作装置の入力切換えボタンが操作されると、例えば、デジタルテレビジョン放送、ビデオ１入力、ビデオ２入力、ビデオ３入力、ビデオ４入力、コンポーネント１入力、コンポーネント２入力、ＡＶマルチ入力１、ＡＶマルチ入力２、アナログテレビジョン放送等を循環的に切換えて表示処理や発音処理を行う。
【０００５】
従来、この接続の構成を覚える煩わしさを解消するために、複数のアナログ入力端子の内に、どの周辺機器が接続されているかを自動判別する方法が知られている（例えば、特許文献１参照）。
【特許文献１】特表２００２−５２４９３１号公報
【発明の開示】
【発明が解決しようとする課題】
【０００６】
しかし、上述した先行技術に開示された方法では、どのアナログ入力端子に接続されているかを自動で判別されるが、デジタル端子に入力されるデジタル信号と、アナログ入力端子に入力されるアナログ信号とを切換える際には、上述した煩雑な操作を行う必要がある。
【０００７】
具体的には、例えばデジタルテレビジョン放送受像装置の「ビデオ３入力」に対応するアナログ入力端子に、所望の制御対象の周辺機器が接続されている場合、ユーザがデジタル放送を視聴中に、周辺機器のアナログ出力を視聴したい場合には、入力切換えボタンを４回操作することになる。
また、操作を誤って５回入力切換えボタンを操作した場合には、上記のサイクルを一巡して「ビデオ３入力」を表示させるまで、入力切換えボタンを１０回も操作するという煩雑な操作を行う必要がある。
さらにユーザが所望の制御対象の周辺機器が「ビデオ３入力」に接続されていることを覚えている前提が必要になる。
【０００８】
このため、煩雑な操作を行うことなく、またユーザに制御対象の周辺機器が接続されている入力を記憶することを強制せずに、制御対象の情報処理装置から入力されるデジタル信号とアナログ信号とを切換えることができる情報処理装置が望まれている。
【０００９】
本発明は、かかる事情に鑑みてなされたものであり、その目的は、煩雑な操作を行うことなく、制御対象の情報処理装置から入力されるデジタル信号およびアナログ信号を切換えて所定の処理を行うことができる情報処理装置、デジタルテレビジョン受像装置、およびプログラムを提供することにある。
【課題を解決するための手段】
【００１０】
前記目的を達成するために、本発明の第１の観点の情報処理装置は、少なくともデジタル信号およびアナログ信号を出力する制御対象の情報処理装置から前記デジタル信号が入力されるデジタル端子と、前記制御対象の情報処理装置から前記アナログ信号が入力されるアナログ入力端子と、少なくとも、前記デジタル端子に前記デジタル信号を出力する制御対象の情報処理装置と、当該情報処理装置から前記アナログ信号が入力される、複数の前記アナログ入力端子の内の一の前記アナログ入力端子との関連を指示する関連付けデータを記憶する記憶手段と、指定された制御対象の情報処理装置についてのアナログ切換指示を受けると、前記記憶手段が記憶する関連付けデータを基に前記指定された制御対象の情報処理装置から前記アナログ信号が入力されるアナログ入力端子を特定し、前記特定されたアナログ入力端子から入力されたアナログ信号に応じた処理を行う制御手段とを有する。
【００１１】
さらに、前記目的を達成するために、本発明の第２の観点のデジタルテレビジョン放送受像装置は、少なくともデジタル信号およびアナログ信号を出力する制御対象の情報処理装置から前記デジタル信号が入力されるデジタル端子と、前記制御対象の情報処理装置から前記アナログ信号が入力されるアナログ入力端子と、少なくとも、前記デジタル端子に前記デジタル信号を出力する制御対象の情報処理装置と、当該情報処理装置から前記アナログ信号が入力される、複数の前記アナログ入力端子の内の一の前記アナログ入力端子との関連を指示する関連付けデータを記憶する記憶手段と、指定された制御対象の情報処理装置についてのアナログ切換指示を受けると、前記記憶手段が記憶する関連付けデータを基に前記指定された制御対象の情報処理装置から前記アナログ信号が入力されるアナログ入力端子を特定し、前記特定されたアナログ入力端子から入力されたアナログ信号に応じた処理を行う制御手段と、前記制御手段の処理に応じた表示処理を行う表示手段とを有する。
【００１２】
さらに、前記目的を達成するために、本発明の第３の観点のプログラムは、少なくともデジタル信号およびアナログ信号を出力する制御対象の情報処理装置から前記デジタル信号が入力されるデジタル端子と、前記制御対象の情報処理装置から前記アナログ信号が入力されるアナログ入力端子とを含む情報処理装置に実行させるプログラムであって、指定された制御対象の情報処理装置についてのアナログ切換指示を受けると、少なくとも、前記デジタル端子に前記デジタル信号を出力する制御対象の情報処理装置と、当該情報処理装置から前記アナログ信号が入力される、複数の前記アナログ入力端子の内の一の前記アナログ入力端子との関連を指示する関連付けデータを基に前記指定された制御対象の情報処理装置から前記アナログ信号が入力されるアナログ入力端子を特定する第１の手順と、前記第１の手順により特定されたアナログ入力端子から入力されたアナログ信号に応じた処理を行う第２の手順とを実行させる。
【００１３】
本発明によれば、デジタル端子には、少なくともデジタル信号およびアナログ信号を制御対象の情報処理装置からデジタル信号が入力される。
アナログ入力端子には、制御対象の情報処理装置からアナログ信号が入力される。
記憶手段では、少なくとも、デジタル端子にデジタル信号を出力する制御対象の情報処理装置と、当該情報処理装置からアナログ信号が入力される、複数のアナログ入力端子の内の一のアナログ入力端子との関連を指示する関連付けデータを記憶する。制御手段では、指定された制御対象の情報処理装置についてのアナログ切換指示を受けると、記憶手段が記憶する関連付けデータを基に指定された制御対象の情報処理装置からアナログ信号が入力されるアナログ入力端子を特定し、特定されたアナログ入力端子から入力されたアナログ信号に応じた処理を行う。
表示手段では、制御手段の処理に応じた表示処理を行う。
【発明の効果】
【００１４】
本発明によれば、煩雑な操作を行うことなく、制御対象の情報処理装置から入力されるデジタル信号およびアナログ信号を切換えて所定の処理を行うことができる情報処理装置、デジタルテレビジョン受像装置、およびプログラムを提供することができる。
【発明を実施するための最良の形態】
【００１５】
図１は、本発明に係る情報処理装置を採用した情報処理システムの一実施形態を示す全体構成図である。
本実施形態に係る情報処理システム１は、例えば図１に示すように、情報処理装置２、制御対象の情報処理装置３を有する。
【００１６】
情報処理装置２は、例えばデジタルテレビジョン受像装置であり、受信した電波信号に応じた表示処理や発音処理を行う。また、情報処理装置２はデジタルインタフェースを介して接続された情報処理装置３の制御を行う。
また、情報処理装置２は、制御対象の情報処理装置３から入力された、画像信号や音声信号を含む、デジタル信号およびアナログ信号に応じた表示処理や発音処理等の所定の処理を行う。
本実施形態では、例えば情報処理装置２は、デジタルテレビジョン放送およびアナログテレビジョン放送を受信可能な、デジタルテレビジョン放送受像装置である。
【００１７】
制御対象の情報処理装置３は、情報処理装置２による制御対象の情報処理装置であり、例えばデジタルインタフェースおよびアナログインタフェースを介して情報処理装置２と接続される。
本実施形態では情報処理装置３は、例えば図１に示すように、デジタルデジタルハードディスクレコーダＨＤＲ３−１、デジタルビデオホームシステムＤ−ＶＨＳ３−２、デジタルビデオカセットレコーダＤＶＣＲ３−３等を有する。
情報処理装置３それぞれは、例えばＩＥＥＥ（電気電子技術者協会：Institute of Electrical and Electronics Engineers ）１３９４等が規定するデジタルインタフェースを介して接続されている。
また、情報処理装置２と情報処理装置３も同様なデジタルインタフェースを介して接続されている。
また、情報処理装置３それぞれからアナログ信号が情報処理装置２に入力される。
【００１８】
情報処理装置２は、例えば図１に示すように、電波受信部２１、表示部２２、受信部２３、メモリ２４、デジタルバスコントローラＤＢＳＣＴＲ２５、デジタル端子２６、アナログ入力切換部２７、アナログ入力端子２８、およびＣＰＵ２９を有する。
電波受信部２１、表示部２２、受信部２３、メモリ２４、ＤＢＳＣＴＲ２５、アナログ入力切換部２７、およびＣＰＵ２９はバスを介して接続されている。
メモリ２４は本発明に係る記憶手段に相当し、デジタル端子２６は本発明に係るデジタル端子に相当し、アナログ入力端子２８は本発明に係るアナログ入力端子に相当する。
【００１９】
電波受信部２１は、例えばアンテナＡＮＴや信号入力端子等を介して、デジタル方式やアナログ方式のテレビジョン放送信号を受信する。
表示部２２は、例えばＣＰＵ２９の制御により、電波受信部２１が受信したテレビジョン放送信号に応じた表示処理を行う。また、表示部２２はＣＰＵ２９の制御により、制御対象の情報処理装置３から入力されたデジタル信号やアナログ信号の画像信号に応じた表示処理を行う。例えば表示部２２は、液晶ディスプレイやＣＲＴ（Cathode Ray Tube）等の受像装置で構成される。
【００２０】
受信部２３は、例えば情報処理装置２の操作装置としてのリモートコントローラ４からの信号を受信してＣＰＵ２９に出力する。ＣＰＵ２９はその信号に応じた処理を行う。
【００２１】
リモートコントローラ４は、例えば図１に示すように、送信部４１、入力部４２、およびＣＰＵ４３を有する。
送信部４１、入力部４２、およびＣＰＵ４３は、バスＢＳを介して接続されている。
【００２２】
送信部４１は、ＣＰＵ４３の制御により、入力部４２からの信号を無線電波信号に変換して出力する。
入力部４２は、例えばユーザの操作に応じた信号をＣＰＵ４３に出力する。
入力部４２は、例えば図１に示すように、リンクボタン４２１、決定ボタン４２２、キャンセルボタン４２３、上ボタン４２４、下ボタン４２５、左ボタン４２６、右ボタン４２７、切換ボタン４２８、および選局ボタン４２９等を有する。
【００２３】
例えば、決定ボタン４２２は、所定の事項が決定される際に操作される。キャンセルボタン４２３は所定の事項をキャンセルする場合に操作される。上ボタン４２４、下ボタン４２５、左ボタン４２６、および右ボタン４２７は、例えば情報処理装置２で表示される所定の項目を選択する際に、操作される。切換ボタン４２８は例えば情報処理装置２の出力を切換える場合に操作される。選局ボタン４２９は、例えばテレビジョン放送局を選局する際に操作され、例えば１〜１２の選局ボタンが設けられている。
【００２４】
ＣＰＵ４３は、入力部４２からの信号に基づいて送信部４１に、入力部４２からの信号を無線電波信号に変換して出力させる。
また、リモートコントローラ４は、本実施形態では、ユーザによる入力部４２の操作を基に情報処理装置２のＣＰＵ２９に関連付けデータを生成させる。リモートコントローラ４およびＣＰＵ２９は本発明に係る関連付けデータ生成手段に相当する。
また、リモートコントローラ４は、ハードウェアの操作スイッチとしての切換ボタン４２８が操作された場合に、アナログ切換指示を行う本発明に係る指示手段に相当する。
【００２５】
メモリ２４は、例えばプログラムＰＲＧ、および関連付けデータＤ等を記憶する。
プログラムＰＲＧは、例えば本発明に係る機能を含み、ＣＰＵ２９により実行されることで、その機能が実現される。
関連付けデータＤは、少なくとも、デジタル端子２６にデジタル信号を出力する制御対象の情報処理装置３と、当該情報処理装置３からアナログ信号ＳＡが入力される、複数のアナログ入力端子２８の内の一のアナログ入力端子２８との関連を指示する。
【００２６】
また、メモリ２４は、例えばＲＡＭ（Random Access Memory）、ＲＯＭ（Read Only Memory）、ＨＤＲ（Hard Disk Recorder）等の記憶装置により構成され、例えばＣＰＵ２９の制御によりワークエリアとして使用される。
【００２７】
デジタルバスコントローラＤＢＳＣＴＲ２５は、例えばＣＰＵ２９の制御によりデジタル端子２６を介して制御対象の情報処理装置３と、制御信号、画像信号、音声信号等のデジタル信号のデータ通信を行う。具体的には、ＤＢＳＣＴＲ２５は例えば、ＩＥＥＥ１３９４等が規定するデジタルインタフェースの制御回路である。
【００２８】
デジタル端子（Ｄ端子）２６は、少なくともデジタル信号およびアナログ信号を出力する制御対象の情報処理装置３からデジタル信号が入力され、また、ＣＰＵ２９およびＤＢＳＣＴＲ２６の制御により、デジタル信号を制御対象の情報処理装置３に出力する。
【００２９】
アナログ入力切換部２７は、ＣＰＵ２９の制御により、複数のアナログ入力端子２８からのアナログ信号を切換えて出力する。
【００３０】
アナログ入力端子（Ａ端子）２８は、少なくともデジタル信号およびアナログ信号を出力する制御対象の情報処理装置３からアナログ信号が入力され、アナログ入力切換部２７に出力する。アナログ入力端子２８は、例えば制御対象の情報処理装置３以上の複数のアナログ入力端子２８、本実施形態ではアナログ入力端子２８−１〜３が設けられている。
【００３１】
図２は、図１に示した情報処理装置２の機能を示す機能ブロックの一実施形態を示す図である。
ＣＰＵ２９は、装置全体の制御を行い、例えばメモリ２４が記憶するプログラムＰＲＧを実行することにより、例えば図２に示す切換部２９１等の本発明に係る機能を実現する。切換部２９１は本発明に係る制御手段に相当する。
【００３２】
切換部２９１は、指定された制御対象の情報処理装置３についてのアナログ切換指示Ｓ４を受けると、メモリ２４が記憶する関連付けデータＤを基に指定された制御対象の情報処理装置３からアナログ信号ＳＡが入力されるアナログ入力端子２８を特定し、特定されたアナログ入力端子２８から入力されたアナログ信号に応じた処理を行う。
【００３３】
切換部２９１は、詳細には、制御中の情報処理装置３を指定された情報処理装置３に設定し、アナログ切換指示Ｓ４を受けると、関連付けデータＤを基に指定された情報処理装置３からアナログ信号ＳＡが入力されるアナログ入力端子２８を特定し、特定されたアナログ入力端子２８から入力されたアナログ信号ＳＡに応じた処理を行う。
【００３４】
例えば具体的には、切換部２９１は、受信部２３で、リモートコントローラ４からのアナログ切換指示Ｓ４を受けると、関連付けデータＤを基に指定された情報処理装置３からアナログ信号ＳＡが入力されるアナログ入力端子２８を特定し、特定されたアナログ入力端子２８に切換させる制御信号ＣＴＲ２９１をアナログ入力切換部２７に出力する。アナログ入力切換部２７は制御信号ＣＴＲ２９１を基に、複数のアナログ入力端子２８の内、指定された情報処理装置３からのアナログ信号ＳＡが入力されるアナログ入力端子２８−１〜３からのアナログ信号ＳＡを、信号Ｓ２７として切換部２９１に出力する。切換部２９１はその信号Ｓ２７に応じた処理、例えば表示部２２に表示処理を行わせる処理や、不図示の発音部に発音処理を行わせる。
【００３５】
本実施形態では、制御対象の情報処理装置３として、デジタルハードディスクレコーダＨＤＲ３−１、デジタルビデオホームシステムＤＶＨＳ３−２、およびデジタルビデオカセットレコーダＤＶＣＲ３−３を有する。
【００３６】
デジタルハードディスクレコーダＨＤＲ３−１は、例えばＨＤＲにデジタル方式により画像信号および音声信号を記憶し、記憶した画像信号および音声信号を再生して出力する。
デジタルハードディスクレコーダＨＤＲ３−１は、例えば図１に示すように、デジタル端子（Ｄ端子）３１、デジタルバスコントローラＤＢＳＣＴＲ３２、アナログ端子（Ａ端子）３３、アナログコントローラ（ＡＣＴＲ）３４、ＨＤＲ３５、メモリ３６、およびＣＰＵ３７等を有する。
デジタルバスコントローラＤＢＳＣＴＲ３２、アナログコントローラ（ＡＣＴＲ）３４、ＨＤＲ３５、メモリ３６、およびＣＰＵ３７はバスＢＳにより接続されている。
【００３７】
デジタル端子（Ｄ端子）３１は、ＣＰＵ３７およびＤＢＳＣＴＲ３２の制御により、例えば画像信号、音声信号、および制御信号等をデジタル信号で情報処理装置２、および他の情報処理装置３とデータ通信を行う。
デジタルバスコントローラＤＢＳＣＴＲ３２は、ＣＰＵ３７の制御により、デジタル端子３１からデジタル信号のデータ処理を行わせる。
アナログ端子（Ａ端子）３３は、アナログ通信路を介して情報処理装置２のアナログ入力端子２８、例えば本実施形態では２８−１に接続し、ＣＰＵ３７およびＡＣＴＲ３４の制御により、例えば画像信号および音声信号を、アナログ信号ＳＡ３０１として情報処理装置２に出力する。
アナログコントローラ（ＡＣＴＲ）３４は、ＣＰＵ３７の制御により、アナログ端子３３に、例えば画像信号や音声信号をアナログ信号ＳＡ３０１として情報処理装置２に出力させる。
【００３８】
ＨＤＲ３５は、例えばＣＰＵ３７の制御により、画像信号や音声信号をデジタル方式で記憶する記憶装置である。
メモリ３６は、例えばＣＰＵ３７のワークスペースとして用いられ、例えばＲＡＭやＲＯＭにより構成されている。
ＣＰＵ３７は、装置全体の制御を行い、例えばデジタル端子３１およびＤＢＳＣＴＲ３２を介して入力された、情報処理装置２からの制御信号を基に、ＨＤＲ３５が記憶する画像信号および音声信号を、デジタル端子３１やアナログ端子３３を介して情報処理装置２に出力する。
【００３９】
デジタルビデオホームシステムＤＶＨＳ３−２は、例えば記録媒体として磁気テープに所定のデジタル方式で画像信号や音声信号を記憶し、記憶した画像信号および音声信号を再生して出力する。
ＤＢＨＳ３−２は、例えば図１に示すように、デジタル端子３１、デジタルバスコントローラＤＢＳＣＴＲ３２、アナログ端子３３、アナログコントローラ（ＡＣＴＲ）３４、メモリ３６、ＣＰＵ３７、およびＤＶＨＳドライブ３８等を有する。
デジタルバスコントローラＤＢＳＣＴＲ３２、ＡＣＴＲ３４、メモリ３６、ＣＰＵ３７、およびＤＶＨＳドライブ３８は、バスＢＳに接続されている。
ＤＶＨＳ３−２とＨＤＲ３−１との大きな相違点は、ＤＶＨＳ３−２はＨＤＲ３８の代わりにＤＶＨＳドライブ３８を有する点である。ＤＶＨＳドライブ３８は、例えばＣＰＵ３７の制御により、画像信号や音声信号をデジタル方式で記憶する記憶装置である。
また、アナログ端子３３は、アナログ通信路を介して情報処理装置２のアナログ入力端子２８、例えば本実施形態では２８−２に接続し、ＣＰＵ３７およびＡＣＴＲ３４の制御により、例えば画像信号および音声信号を、アナログ信号ＳＡ３０２として情報処理装置２に出力する。
【００４０】
デジタルビデオカセットレコーダＤＶＣＲ３−３は、例えば記録媒体として磁気テープに、ＤＶＨＳ３−２とは異なる所定のデジタル方式で画像信号や音声信号を記憶し、記憶した画像信号および音声信号を再生して出力する。
ＤＶＣＲ３−３は、例えば図１に示すように、デジタル端子３１、デジタルバスコントローラＤＢＳＣＴＲ３２、アナログ端子３３、アナログコントローラ（ＡＣＴＲ）３４、メモリ３６、ＣＰＵ３７、ＤＶＣＲドライブ３９等を有する。
デジタルバスコントローラＤＢＳＣＴＲ３２、アナログコントローラ（ＡＣＴＲ）３４、メモリ３６、ＣＰＵ３７、およびＤＶＣＲドライブ３９はバスＢＳにより接続されている。
【００４１】
ＤＶＣＲ３−３とＨＤＲ３−１との大きな相違点は、ＤＶＣＲ３−３はＨＤＲ３８の代わりにＤＶＣＲドライブ３９を有する点である。ＤＶＨＳドライブ３８は、例えばＣＰＵ３７の制御により、ＤＶＨＳ３−２とは異なる所定のデジタル方式で画像信号や音声信号をデジタル方式で記憶する記憶装置である。
また、アナログ端子３３は、アナログ通信路を介して情報処理装置２のアナログ入力端子２８、例えば本実施形態では２８−３に接続し、ＣＰＵ３７およびＡＣＴＲ３４の制御により、例えば画像信号および音声信号を、アナログ信号ＳＡ３０３として情報処理装置２に出力する。
【００４２】
また、本実施形態では、デジタルハードディスクレコーダＨＤＲ３−１、デジタルビデオホームシステムＤＶＨＳ３−２、およびデジタルビデオホームシステムＤＶＣＲ３−３のデジタル端子３１それぞれが所定の通信路を介して接続されている。
【００４３】
図３は、図１に示した情報処理装置２の動作を説明するためのフローチャートである。図４は、図１に示した情報処理装置２が表示する、制御対象の情報処理装置３の操作画像の一具体例を示す図である。図５は、図１に示した情報処理装置２が表示する設定画像の一具体例を示す図である。図６は、図１に示した情報処理装置２の関連付けデータを生成する動作を説明するための図である。
図３〜図６を参照しながら、情報処理装置２の動作を、ＣＰＵ２９の処理を中心に説明する。
【００４４】
本実施形態では、初期状態では図１に示すように、情報処理装置２のアナログ入力端子２８−１〜３それぞれに、情報処理装置３−１〜３のアナログ端子３３それぞれから、アナログ信号ＳＡ３０１〜Ｓ３０３が入力される。
【００４５】
ステップＳＴ１において、ＣＰＵ２９は、例えば、電波受信部２１のアンテナＡＮＴで受信されたデジタルテレビジョン放送信号に応じた画像表示を表示部２２に行わせる。
【００４６】
ステップＳＴ２において、ＣＰＵ２９は、例えばリモートコントローラ４の入力部４２のリンクボタン４２１が操作されたか否かが判別され、操作されていない場合にはステップＳＴ１の処理に戻る。
一方、ステップＳＴ２において、ＣＰＵ２９は、リンクボタン４２１が操作されたと判別された場合には、例えばデジタル端子２６に接続されている制御対象の情報処理装置３それぞれに応じた操作画像（コントロールパネル）ｖ１を表示部２２に表示させる。
【００４７】
操作画像Ｖ１は、例えば図４に示すように、リンク機器表示部ｖ１１、電源ボタンｖ１２、再生操作部ｖ１３、リスト表示ボタンｖ１４、再生タイトル名表示部ｖ１５、録画操作部ｖ１６、メッセージ表示部ｖ１７、情報表示部ｖ１８、機器設定ボタンｖ１９、および入力切換ボタンｖ２０等を有する。
【００４８】
リンク機器表示部ｖ１１には、ＣＰＵ２９は情報処理装置３の名称を表示する。
電源ボタンｖ１２がリモートコントローラ４により操作されると、ＣＰＵ２９は情報処理装置３の電源をオン状態およびオフ状態に設定させる制御信号をデジタル端子２６を介して、この操作画像に対応する情報処理装置３に送信して、電源のオン状態およびオフ状態を制御する。
【００４９】
再生操作部ｖ１３がリモートコントローラ４により操作されると、ＣＰＵ２９は情報処理装置３が記憶する画像および音声信号の再生、早送り、巻戻し、停止、一時停止等の処理を行わせる制御信号をデジタル端子２６を介して、この操作画像に対応する情報処理装置３に送信して制御する。
【００５０】
リスト表示ボタンｖ１４がリモートコントローラ４により操作されると、ＣＰＵ２９は情報処理装置３が記憶する画像および音声信号のリスト表示を行わせる制御信号をデジタル端子２６を介して、この操作画像に対応する情報処理装置３に送信して、要求に応じて受信したリストを表示部２２に表示させる。
【００５１】
再生タイトル名表示部ｖ１５には、ＣＰＵ２９は、再生している画像信号および音声信号のタイトル名を表示する。
録画操作部ｖ１６がリモートコントローラ４により操作されると、ＣＰＵ２９は情報処理装置３に、画像および音声信号を録画させる制御信号をデジタル端子２６を介して、この操作画像に対応する情報処理装置３に送信して、録画処理を行わせる。
【００５２】
メッセージ表示部ｖ１７には、ＣＰＵ２９は所定のメッセージを表示させる。
情報表示部ｖ１８には、ＣＰＵ２９は、情報処理装置３からデジタル端子２６を介して入力されたデジタル信号に基づいて、例えば再生および録画、経過時刻、残り時間、記録媒体の残量等を表示する。
【００５３】
機器設定ボタンｖ１９は、関連データＤを生成する際に操作され、ＣＰＵ２９は、機器設定ボタンｖ１９がリモートコントローラ４により操作されると、関連データＤを生成する画像を表示部２２に表示させる。
【００５４】
入力切換ボタンｖ２０は、入力切換を行う際に操作され、例えば具体的には、デジタル端子から入力されたデジタル信号から、アナログ入力端子に入力されたアナログ信号へ切換える際や逆の処理を行う場合に操作され、ＣＰＵ２９は、入力切換ボタンｖ２０がリモートコントローラ４により操作されると所定の入力切換処理を行う。
【００５５】
ステップＳＴ４において、ＣＰＵ２９は、リンクボタン４２１が操作されたか否かを判別し、操作されたと判別された場合には、別の情報処理装置３に対応する操作画像を表示させ、一巡した場合には、ステップＳＴ１の処理に戻る。
【００５６】
ステップＳＴ５において、ＣＰＵ２９は、設定ボタンＶ１９が操作されたか否かを判別し、操作されたと判別された場合には、例えば図５に示すような設定画像ｖ３を表示部２２に表示させ、関連付けデータＤを生成する（ＳＴ６）。
設定画像ｖ３は、例えば図５に示すように、リンク表示部ｖ３１、関連付け表示部ｖ３２、およびリンク解除ボタンｖ３３を有する。
【００５７】
リンク表示部ｖ３１には、ＣＰＵ２９はデジタル端子２６を介して接続された複数の情報処理装置３−１〜３の名称を表示する。
【００５８】
関連付け表示部ｖ３２には、ＣＰＵ２９は、少なくとも、デジタル端子にデジタル信号を出力する制御対象の情報処理装置３と、当該情報処理装置３からアナログ信号が入力される、複数のアナログ入力端子２８の内の一のアナログ入力端子２８との関連を指示する関連付けデータＤを表示する。
具体的には、ＣＰＵ２８は、例えば関連付け表示部ｖ３２には、接続機器の名称ｖ３２１、メーカ名ｖ３２２、型番ｖ３２３、アナログ接続端子名ｖ３２４を関連付けて表示させる。
【００５９】
リンク解除ボタンｖ３３は、例えば関連付けデータＤを初期化する際に操作される。ＣＰＵ２９は、リンク解除ボタンｖ３３がリモートコントローラ４により操作されると、関連付けデータＤを初期化する。
【００６０】
デジタル端子２６にデジタル信号を出力する制御対象の情報処理装置３と、当該情報処理装置３からアナログ信号が入力される、複数のアナログ入力端子２８の内の一のアナログ入力端子２８との関連を指示する関連付けデータを生成する処理を説明する。
【００６１】
例えば図６（ａ）に示すように、アナログ接続端子名ｖ３２４内で、関連付けを行いたい情報処理装置３に相当する領域、例えばＤＶＨＳ３−２に相当する領域ｖ３２４１で決定ボタン４２２が操作されると、ＣＰＵ２９は、図６（ｂ）に示すように、選択可能なアナログ入力を示す画像Ｖ３２４２を表示させる。例えば、画像Ｖ３２４２としては、ビデオ１、ビデオ２、ビデオ３、ビデオ４、コンポーネント１、コンポーネント２等を表示させる。
【００６２】
表示されたアナログ入力の中で、設定したい制御対象の情報処理装置３からアナログ信号が入力される、複数のアナログ入力端子の内の一のアナログ入力端子２８を、決定ボタン４２２を操作することで指定する（ＳＴ７）。
例えば図６（ｃ）に示すように、ビデオ２が選択されることで、ＣＰＵ２９は、ビデオ２に対応するアナログ入力端子２８−２と、情報処理装置３−２との関連を指示する関連付けデータＤを生成し、その旨を示す画像ｖ３２４３を表示させる。
リンク表示部ｖ３１が操作されると、ＣＰＵ２８は、図４に示す操作画像ｖ１を表示させて、ステップＳＴ８の処理に進む。
【００６３】
ステップＳＴ８において、例えば、図４に示す操作画像ｖ１内の所定領域が操作された場合、またはハードウェアの操作スイッチが操作された場合に、アナログ切換指示を行う。
例えば、ユーザがＨＤＲ３−１本体部の時刻合わせを行いたい場合に、ＨＤＲ３−１のアナログ信号によるＯＳＤを表示部２２に表示させたい場合に、アナログ切換指示を行う。
【００６４】
具体的には、例えば図４に示す操作画像ｖ１内の入力切換ボタンｖ２０または、リモートコントローラ４の切換ボタン４２８が操作された場合には、ＣＰＵ２９は、設定画像ｖ１に表示させている制御中の情報処理装置３を指定された情報処理装置３に設定し、関連付けデータＤを基に指定された情報処理装置３からアナログ信号ＳＡが入力されるアナログ入力端子２８を特定し（ＳＴ９）、特定されたアナログ入力端子２８から入力されたアナログ信号に応じた処理、表示処理や発音処理を行わせる。
【００６５】
例えば図２に示すように、切換部２９１は、デジタル端子２６や電波受信部２１から、アナログ入力に切換え、詳細には制御信号ＣＴＲ２９１をアナログ入力切換部２７に出力して、関連付けデータＤを基に指定された情報処理装置３からアナログ信号ＳＡが入力されるアナログ入力端子２８に切換え、例えば表示部２２に表示させる（ＳＴ１０）。
【００６６】
ステップＳＴ１１において、例えば切換ボタン４２８が操作される等、切換操作が行われた場合には、切換部２９１は表示部２２に、アナログ入力に遷移する直前の入力に戻り（ＳＴ１２）、例えばデジタル端子２６からのデジタル信号に応じた表示に戻り、ステップＳＴ３の処理に戻る。
一方、ステップＳＴ８の処理において、切換操作が行われていないと判別された場合も、ステップＳＴ３の処理に戻る。
【００６７】
以上説明したように、少なくともデジタル信号およびアナログ信号を出力する制御対象の情報処理装置３から前記デジタル信号が入力されるデジタル端子２６と、制御対象の情報処理装置３からアナログ信号が入力されるアナログ入力端子２８と、少なくとも、デジタル端子２６にデジタル信号を出力する制御対象の情報処理装置３と、当該情報処理装置３からアナログ信号が入力される、複数のアナログ入力端子２８の内の一のアナログ入力端子２８との関連を指示する関連付けデータＤを記憶するメモリ２４と、指定された制御対象の情報処理装置３についてのアナログ切換指示を受けると、メモリ２４が記憶する関連付けデータＤを基に指定された制御対象の情報処理装置３からアナログ信号が入力されるアナログ入力端子２８を特定し、特定されたアナログ入力端子２８から入力されたアナログ信号に応じた処理を行うＣＰＵ２９と、ＣＰＵ２９の処理に応じた表示部２２とを設けたので、煩雑な操作を行うことなく、制御対象の情報処理装置３から入力されるデジタル信号およびアナログ信号を切換えて所定の処理等を行うことができる。
【００６８】
このため、情報処理装置２のユーザビリティ（使いやすさ、操作性）を向上させることができる。
【００６９】
また、指示手段として、アナログ切換指示を行うリモートコントローラ４の切換ボタン（操作スイッチ）４２８や、操作画像ｖ１内の入力切換画像ｖ２０を設けたので、従来に比べて煩雑な操作を行うことなく、デジタル信号およびアナログ信号を切換えて出力することができる。
【００７０】
なお、本発明は本実施形態に限られるものではなく、任意好適な改変が可能である。
例えば、デジタルインタフェースとしてＩＥＥＥ１３９４を例示したが、この形態に限られるものではない。
また、ＣＰＵ２９はプログラムＰＲＧを実行することにより本発明に係る機能を実現したが、この形態に限られるものではない。例えば本発明に係る機能をハードワイヤードにより実現してもよい。
【図面の簡単な説明】
【００７１】
【図１】本発明に係る情報処理装置を採用した情報処理システムの一実施形態を示す全体構成図である。
【図２】図１に示した情報処理装置２の機能を示す機能ブロックの一実施形態を示す図である。
【図３】図１に示した情報処理装置２の動作を説明するためのフローチャートである。
【図４】図１に示した情報処理装置２が表示する、制御対象の情報処理装置３の操作画像の一具体例を示す図である。
【図５】図１に示した情報処理装置２が表示する設定画像の一具体例を示す図である。
【図６】図１に示した情報処理装置２の関連付けデータを生成する動作を説明するための図である。
【符号の説明】
【００７２】
１…情報処理システム、２…情報処理装置（デジタルテレビジョン受像装置）、３…（制御対象の）情報処理装置、４…リモートコントローラ、２１…電波受信部、２２…表示部、２３…受信部、２４…メモリ、２５…デジタルバスコントローラＤＢＳＣＴＲ、２６…デジタル端子、２７…アナログ入力切換部、２８…アナログ入力端子、２９…ＣＰＵ、３１…デジタル端子（Ｄ端子）、３２…デジタルバスコントローラＤＢＳＣＴＲ、３３…アナログ端子（Ａ端子）、３４…アナログコントローラ（ＡＣＴＲ）、３５…ＨＤＲ、３６…メモリ、３７…ＣＰＵ、３８…ＤＶＨＳドライブ、３９…ＤＶＣＲドライブ、４１…送信部、４２…入力部、４３…ＣＰＵ、２９１…切換部、４２１…リンクボタン、４２２…決定ボタン、４２３…キャンセルボタン、４２４…上ボタン、４２５…下ボタン、４２６…左ボタン、４２７…右ボタン、４２８…切換ボタン、４２９…選局ボタン、ＡＮＴ…アンテナ、ＢＳ…バス、ＰＲＧ…プログラム、ｖ２０…入力切換ボタン。
【図１】
2005130014.tif 000003
【図２】
2005130014.tif 000004
【図３】
2005130014.tif 000005
【図４】
2005130014.tif 000006
【図５】
2005130014.tif 000007
【図６】
2005130014.tif 000008